(57)【要約】【目的】電子放射極より多量で且安定した電気衝撃力の強い電子放射をなし、高密度マイナスイオンを生成させて有害ガスや排気ガス並びに臭気ガスの分解消去或いはエンジンや焼却炉等の高燃焼性を図るマイナスイオンの発生方法及び発生装置を提供する。【構成】一対組のスイッチングトランス及び付帯するパルス制御回路に、２４Ｖ以下の直流電圧と且パルス数が２０乃至１００キロパルスのパルス信号を入力させ、一方のスイッチングトランスの二次側よりその電圧が１５００乃至７５００Ｖで且パルス数が２０乃至１００キロパルスのマイナス高電圧直流方形波パルスを、更に他方のスイッチングトランスの二次側からはその電圧が１５００乃至７５００Ｖで且パルス数が２０乃至１００キロパルスのプラス高電圧直流方形波パルスとして出力させ、更に電磁変換リレーによりマイナス高電圧直流方形波の通電印加時間に対しプラス高電圧直流方形波パルスを５乃至３０％の通電印加時間割合で交互に変換のうえ電子放射極に通電印加させる構成。【選択図】　図２
2004139946.tif 000002
【特許請求の範囲】
【請求項１】
一対組で設けられたスイッチングトランスの一次側に、その電圧が２４Ｖ以下の直流電圧及びそのパルス数が２０乃至１００キロパルスのパルス信号を入力し、且一方の二次側からはその電圧が１５００乃至７５００Ｖで而もそのパルス数が２０乃至１００キロパルスのマイナス高電圧直流方形波パルスを出力させ、更に他方の二次側からはその電圧が１５００乃至７５００Ｖで而もそのパルス数が２０乃至１００キロパルスのプラス高電圧直流パルスを出力させるとともに、このマイナス高電圧直流方形波パルス及びプラス高電圧直流方形波パルスを電磁変換リレーにより、マイナス高電圧直流方形波パルスの通電印加時間に対し、プラス高電圧直流方形波パルスが５乃至３０％の通電印加時間割合となるよう変換させたうえ、リード線を介して電子放射極に通電印加させることを特徴とするマイナスイオン発生方法。
【請求項２】
その電圧が２４Ｖ以下の直流電圧を供給しえる電源部と、そのパルス数が２０乃至１００キロパルスのパルス信号を発生しえるパルス発生部と、この直流電圧とパルス信号をその一次側に入力させることにより、一方の二次側からはその電圧がマイナス１５００乃至７５００Ｖで且パルス数が２０乃至１００キロパルスのマイナス高電圧直流方形波パルスが出力され、更に他方の二次側からはその電圧がプラス１５００乃至７５００Ｖで且パルス数が２０乃至１００キロパルスのプラス高電圧直流方形波パルスを出力できるよう、パルス制御回路が付帯された一対組のスイッチングトランスからなるスイッチングトランス部と、該スイッチングトランス部で出力されるマイナス高電圧直流方形波パルスの通電印加時間に対して５乃至３０％の時間割合でプラス高電圧直流方形波パルスが通電印加されるよう変換させる電磁変換リレーからなる変換部と、所要の時間割合に変換されたマイナス高電圧直流方形波パルス及びプラス高電圧直流方形波パルスを、リード線により電子放射極に通電印加させる電子放射部とにより構成されることを特徴とするマイナスイオンの発生装置。
【請求項３】
電源部より供給される直流電圧が、交流電源を降圧トランスと整流回路からなるＡＣアダプターにより降圧整流させて供給される、請求項２記載のマイナスイオンの発生装置。
【発明の詳細な説明】
【０００１】
【産業上の利用分野】
本発明はマイナスイオン発生方法及び発生装置に係るもので、更に詳しくは電子放射極からの電子放射を促進せしめて高密度のマイナスイオンを生成することにより、有害ガスや臭気ガスの分解消去や消臭並びに空気や水の浄化、或いはエンジンや焼却炉等の燃焼性を著しく高めることの可能なマイナスイオンの発生方法及び発生装置に関するものである。
【０００２】
【従来技術】
我が国では経済成長とともに多量の排煙や排水がなされてきており、加えて化学工業の発展に伴い合成化学品が多用されてきた結果、これらの廃棄や焼却によるダイオキシンや環境ホルモン等の危険物質の発生が拡大化されており、更には高度の自動車社会による膨大量の排気ガス等とが相俟って、大気、水、土壌の汚染が極限に至っており、既にかかる汚染を直接原因とする健康被害が各地で続発していることから、これら汚染の浄化が社会的且緊急の課題とされている。
【０００３】
而も生活の場たる住宅においても近年の建築物は密閉性が著しく高まっている反面、該住宅建物の内装材には合成樹脂や合成化学品が多用され、且これら内装材の施工に係る接着剤や塗料等にも多量の合成化学品や有機溶剤が使用されてなるため、該内装材や接着剤或いは塗料等から揮散されるホルムアルデヒドを初めとする揮発性有機化合物が住宅建物内に揮散滞留して数多の疾病を誘発する所謂シックハウス症候群の原因物質たることが解明されるに至り、これの緊急的解決も要請されている。
【０００４】
ところで汚染された空気中の有害ガスや臭気ガスを分解して浄化する手段として、既にコロナ放電による生成オゾンで酸化分解する機器類が上市されているものの、コロナ放電による手段は極めて高電圧を使用する必要があるばかりか、生成オゾン量を制約せぬと却って健康上危険があり且特有のオゾン臭が拡散される結果ともなり、特には空気や水の汚染は各種の有害ガスや臭気ガス、若しくは化学物質や塵埃或いは有機物等の混入及び光線作用等により酸化された状態にあるから、これら汚染された空気や水の浄化には還元化が要請されるものでありオゾンによる手段では対処しえない。
【０００５】
これがため近年に至ってはマイナスイオンの保持する還元作用により有害ガスや臭気ガスの分解や空気及び水の浄化が注目されるに至り、既にマイナスイオンの生成による空気浄化を図る先願として実用新案登録第３０６６７９３号が開示されており、更にマイナスイオンによる有害ガスの分解に係る先願としては特開平１１−２９０６４４号並びに特開２００１−１８２５２６号が開示されており、或いはマイナスイオンによる燃焼性の向上に係る先願として特開２０００−１６１１５３号等が開示されている。
【０００６】
然るにこれら先願技術は電子放射極にマイナス高電圧直流を通電印加せしめて、該電子放射極より電子放射をなしマイナスイオンを生成せしむる構成のものであって、これら先願技術において空気浄化を図る場合においては絶縁性の高い空気中に露出された電子放射極に単にマイナス高電圧直流を通電印加させ、電子放射極より電子放射をなしマイナスイオンの生成を図るものであるものの、時間経過とともに電子放射極近傍が帯電化して高電位となる結果電子放射が阻害されてマイナスイオンの生成が著しく低下し、有害ガスや臭気ガスの分解消去が実質的になされなくなる結果となっている。
【０００７】
これがためかかる先願技術によるものでは更に電子放射量を高めるために、より高電圧のマイナス直流を通電印加させることが試みられているが、この方法においても通電印加の初期段階では電子放射量が増大するものの、時間経過とともに電子放射極近傍が帯電化に伴い高電位となり、電子放射が阻害されるばかりか却って高電圧の通電印加によりコロナ放電が惹起されて、生成されるマイナスイオンが滅失される結果ともなる。
【０００８】
発明者はかかる実情に鑑み研究を重ねた結果、マイナスイオンによる有害ガスや臭気ガスの分解消去或いは自動車のエンジンや焼却炉等の高燃焼性を図るうえからは、少なくともマイナスイオン密度において２０乃至３０個／ｃｃ以上の高密度マイナスイオンが必要とされること、並びに高密度マイナスイオンの生成には電子放射極より安定且多量の電子放射をなさしめて、一次生成としての多量のプラズマを形成せしむるとともに該プラズマを介して二次生成されるマイナスイオンの多量の生成を図るうえからは、水分子や各種のガス分子等を十分な低クラスター化と且解離せしめて多量のイオン源を形成せしむることが不可欠であり、これがためには電気衝撃力の強い電子放射をなす必要を究明し本発明に至った。
【０００９】
【発明が解決しようとする課題】
即ち本発明は電子放射極より多量で且安定した電気衝撃力の強い電子放射をなさしめて高密度のマイナスイオンを生成させることにより、有害ガスや排気ガス並びに臭気ガスの分解消去或いはエンジンや焼却炉等の高燃焼性を図ることの可能な、マイナスイオンの発生方法及び発生装置を提供することにある。
【００１０】
【課題を解決するための手段】
上述の課題を解決するために本発明が採用した技術的手段は、高密度マイナスイオンを生成させるうえからは電子放射極より多量で且安定した電気衝撃力の強い電子放射をなさしめることが要件となる。
そこでかかる要件を具備させるためには電子放射極に少なくともその電圧が１５００Ｖ以上で最大７５００Ｖのマイナス高電圧を印加させることが必要となり、且安定した電子放射をなさしむるためには電子放射極近傍に発生する帯電の防止を図る所謂過剰帯電を消却させるためのプラス高電圧直流方形波パルスをマイナス高電圧直流方形波パルスの通電印加時間に対し５乃至３０％の通電印加時間割合で交互に変換させて印加し、及び電気衝撃力の強い電子放射をなすことにより電子放射量の促進と且水分子ガス分子等の低クラスター化と解離を図って、多量のイオン源を形成させたうえ高密度マイナスイオンを生成させるためにそのパルス数が２０乃至１００キロパルスの直流方形波パルスを通電印加させる技術思想を採用している。
【００１１】
これがため一対組のスイッチングトランスを設けるとともに該スイッチングトランスの一次側に電圧が１２乃至２４Ｖの直流電圧と、且そのパルス数が２０乃至１００キロパルスのパルス信号を発生させたうえ、均等なパルス方形波として出力させるためのパルス制御回路を介して入力させることにより、一方のスイッチングトランスの二次側からはその電圧がマイナス１５００乃至７５００Ｖで、そのパルス数が２０乃至１００キロパルスのマイナス高電圧直流方形波パルスを出力させ、更に他方のスイッチングトランスの二次側からはその電圧がプラス１５００乃至７５００Ｖで、そのパルス数が２０乃至１００キロパルスのプラス高電圧直流方形波パルスとして出力されるよう形成されている。
【００１２】
そして高電圧を交互に変換させるため該マイナス高電圧直流方形波パルスとプラス高電圧直流方形波パルスとを、電磁変換リレーによりマイナス高電圧直流方形波パルスの通電印加時間に対して、５乃至３０％の通電印加時間の割合を以って交互に変換させたうえ、リード線により絶縁体を介して配設された電子放射極に通電印加せしめ、以って高密度マイナスイオンを発生させるマイナスイオンの発生方法及び発生装置の構成に存する。
【００１３】
【作用】
本発明は上述の如き構成よりなるため以下のような作用を有する。即ち一対組のスイッチングトランスが用いられその一次側には１２乃至２４Ｖの他電圧の直流電圧が入力され、且パルス発生部で発生させたパルス数が２０乃至１００キロパルスのパルス信号をパルス制御回路で正確なパルス信号となして該一次側に入力させることにより、一方のスイッチングトランス二次側からはその電圧がマイナス１５００乃至７５００Ｖで且パルス数が２０乃至１００キロパルスのマイナス高電圧で而も均等な方形波パルスが出力され、更には他方のスイッチングトランスの二次側からは、その電圧がプラス１５００乃至７５００Ｖで且パルス数が２０乃至１００キロパルスのプラス高電圧で而も均等な方形波パルスが出力される。
【００１４】
そしてかかるマイナス高電圧直流方形波パルスとプラス高電圧直流方形波パルスとを、電磁変換リレーによりマイナス高電圧直流方形波パルスの通電印加時間に対してプラス高電圧直流方形波パルスが５乃至３０％の通電印加時間割合で交互に変換させるためマイナス高電圧やプラス高電圧でも安全に変換使用でき、且安定した正確な変換がなしえる。
【００１５】
更にこの交互に変換されたマイナス高電圧直流方形波パルス及びプラス高電圧直流方形波パルスがリード線により電子放射極に通電印加されるため、該電子放射極からは高電圧と高パルス方形波により多量の電子放射とプラズマが形成され、且高パルス方形波による強い尖頭作用が働き水分子やガス分子の低クラスター化と解離が促進されて多量のイオン源が形成されることにより高密度のマイナスイオンの生成がなされる。
加えて電子放射極近傍に高密度のマイナスイオンの生成による帯電が生じても、該マイナス高電圧直流方形波パルスの通電印加に対して、５乃至３０％の通電印加時間割合を以ってプラス高電圧直流方形波パルスが通電印加される結果プラスイオンが瞬時に生成され、過剰帯電が消去され長期に亘って安定した電子放射によるプラズマ形成と且高密度マイナスイオンの生成がなされる。
【００１０】
【実施例】
以下本発明実施例をマイナスイオン発生装置の図とともに説明すれば、図１は本発明マイナスイオン発生装置のブロック図、図２は本発明マイナスイオン発生装置の配線図であって、本発明は一対組のスイッチングトランス２Ａを用いてマイナス高電圧直流方形波パルス２Ｂ及びプラス高電圧直流方形波パルス２Ｃを出力させるうえから、電源部１より供給される電源としてはその電圧が１２乃至２４Ｖの直流電圧が使用されるもので、自動車エンジンの高燃焼性を初め移動自在な装置に装備使用される場合にはバッテリーや電池１Ａが電源として使用されるが、工場や家庭等で固定設置されて使用する場合にはＡＣ電源が利用されるため、該ＡＣ電源を所望の直流電圧に降圧整流させるＡＣアダプター１Ｂを付帯させて電源とすれば利用でき、且該電源部１からの直流電圧の供給に際してはその一方側がアースされ、且他方側がスイッチングトランス２Ａの一次側巻線２０Ａの中央に形成された直流電圧入力端子２１Ａに入力される。
【００１７】
このスイッチングトランス２Ａはその一次側への入力に対して、一方のスイッチングトランス２Ａの二次側からはその電圧がマイナス１５００乃至７５００Ｖでパルス数が２０乃至１００キロパルスのマイナス高電圧直流方形波パルス２Ｂを、並びに他方のスイッチングトランス２Ａの二次側からは、その電圧が１５００乃至７５００Ｖで且そのパルス数が２０乃至１００キロパルスのプラス高電圧直流方形波パルス２Ｃを出力させる必要上から一対組で用いられる。
【００１８】
そしてこれらスイッチングトランス２Ａ、２Ａはそのパルス数が２０乃至１００キロパルスの高パルスが使用されることから、高周波特性に優れるフェライトコア２０Ｂが用いられるとともに、所望の二次側出力で出力させるために一次側巻線２０Ａに対する巻線設計を以って二次側巻線２０Ｃが形成されたうえ、該二次側巻線２０Ｃの両側端には出力端子２０Ｄ、２０Ｄが設けられている。
【００１９】
更に該スイッチングトランス２Ａ、２Ａにはその二次側より方形波パルスとして出力させるうえから、その一次側巻線２０Ａの両側端に設けられたパルス信号入力端子２１Ｂ、２１Ｂよりパルス信号３Ａが入力される。
このスイッチングトランス２Ａ、２Ａの一次側に設けられたパルス信号入力端子２１Ｂ、２１Ｂに入力されるパルス信号３Ａはパルス発生部３においてそのパルス数が２０乃至１００キロパルスのパルス信号３Ａを発生させるもので、該パルス信号３Ａの発生手段には特段の制約はなく図２の如くＵＴＪ（単結合トランジスター）３Ｂを用いた発振回路やその他ＰＵＴトランジスターを用いた弛張発振回路、若しくはコルピッツ発振回路或いはハートレー発振回路等も利用できる。
当然にＵＪＴ３Ｂを用いた発振回路の具体的発振パルス数は使用するコンデンサー容量並びに抵抗値により決定される。
【００２０】
かくしてパルス発生部３により所望の高パルス数で発振させ出力されるパルス信号３Ａはパルス波形も均等な方形波ではなく、反面スイッチングトランス２Ａより出力されるマイナス高電圧直流方形波パルス２Ｂ及びプラス高電圧直流方形波パルス２Ｃは、高密度マイナスイオンを生成させるうえからは均等且安定した方形波パルスが望まれる。
そこでかかるパルス信号３Ａを更に均等且安定したパルス信号３Ａに補整且制御のうえ、スイッチングトランス２Ａのパルス信号入力端子２１Ｂ、２１Ｂに入力させるためパルス制御回路４に入力されて補整且制御がなされる。
【００２１】
即ちこのパルス制御回路４は、パルス発生部３で発振されたパルス信号３Ａを入力させてスイッチングトランス２Ａの二次側より出力されるマイナス高電圧直流方形波パルス２Ｂ並びにプラス高電圧直流方形波パルス２Ｃとして安定且正確なパルス数と而も均等な方形波として出力させ、パルスの強い尖頭作用により多量のプラズマ形成とイオン源を形成させるうえから、均等且安定したパルス信号に補整し制御させるもので、該パルス制御回路４におけるパルス信号３Ａの補正並びに制御のためには、通常スイッチングトランジスター４Ａを用い該スイッチングトランジスタ４Ａのベース４０Ａにパルス信号３Ａを入力させ、且コレクター４０Ｂをスイッチングトランス２Ａの一側端に設けたパルス信号入力端子２１Ｂに接続し、且エミッター４０Ｃはアース接続がなされる。
更に該アースからはパルス信号整流器４Ｂを介してスイッチングトランス２Ａの他側端のパルス信号入力端子２１Ｂに接続された構成からなるものである。
【００２２】
而して一対組のスイッチングトランス２Ａ、２Ａの一方のスイッチングトランス２Ａの二次側の一方側の出力端子２０Ｄにはマイナス整流器２２Ａが配され、且他方側をアースさせることによりマイナス高電圧直流方形波パルス２Ｂが出力され、更に他方のスイッチングトランス２Ａの二次側の一方側出力端子２０Ｄにはプラス整流器２２Ｂが配され、且他方側がアースされることによりプラス高電圧直流方形波パルス２Ｃが出力されることとなる。
【００２３】
かくして出力されたマイナス高電圧直流方形波パルス２Ｂ及びプラス高電圧直流方形波パルス２Ｃは電磁変換リレー５に入力される。
この電磁変換リレー５は電子放射極６Ｂに通電印加により高密度マイナスイオンの生成に際し、マイナス高電圧直流方形波パルス２Ｂの通電印加に伴い電子放射極６Ｂ近傍の過剰帯電を消去せしむるため、マイナス高電圧直流方形波パルス２Ｂの通電印加時間に対し５乃至３０％の通電印加時間割合を以ってプラス高電圧直流方形波パルス２Ｃを交互に変換させて通電印加させる必要がある。
【００２４】
電磁変換リレー５は図３に示すように２回路２接点のリレー部５Ａを設けるとともに該リレー部５Ａが電磁ソレノイド５Ｂへの通電及び遮断により接点が切替られるよう形成されてなり、而も該電磁ソレノイド５ＢにはＬＣ回路５Ｃにより所要の時間割合を以って通電及び遮断がなされるよう構成されている。従ってマイナス高電圧直流方形波パルス２Ｂをリレー部５Ａの１回路側基点５０Ａに接続し、更にプラス高電圧直流方形波パルス２Ｃをリレー部５Ａの２回路側基点５０Ｂに接続しておく。
【００２５】
そうするとＬＣ回路５Ｃからの通電により電磁ソレノイド５Ｂの作動でマイナス高電圧直流方形波パルス２Ｂが接続された基点５０Ａは接点５１Ａと接続された状態にあるから該マイナス高電圧直流方形波パルス２Ｂはリード線６Ｃを介して電子放射局６Ｂに通電印加される。
他方２回路側の基点５０Ｂに接続されてなるプラス高電圧直流パルス２Ｃは接点５１Ｂと接続されてなるものの、リード線６Ｃとは無接続の状態にあるから電子放射極６Ｂには通電印加がなされない。
反面ＬＣ回路５Ｃからの通電が遮断された場合には、マイナス高電圧直流方形波パルス２Ｂが接続された基点５０Ａは接点５２Ａと接続されるため、電子放射極６Ｂへの通電印加がなされず、且プラス高電圧直流方形波パルス２Ｃが接続されてなる基点５０Ｂは接点５２Ｂと接続され且該接点５２Ｂからはリード線６Ｃにより電子放射極６Ｂと接続されてなるから、電子放射極６Ｂにはプラス高電圧直流方形波パルス２Ｃが通電印加されることとなる。
【００２６】
電磁変換リレー５はかかる手段に限定されるものでなく、実質的にスイッチングトランス２Ａより出力されるマイナス高電圧直流方形波パルス２Ｂの通電印加時間に対して、５乃至３０％の通電時間割合を以って交互に変換通電しえるものであれば使用でき、特にスイッチングトランス２Ａからの出力が安定し且高電圧に耐えうるトランジスター等の使用が可能な場合には、ＩＣ回路所謂シュミット回路の採用も考慮される。そしてこれら全体で変換部５０を構成している。
【００２７】
電磁変換リレー５により所要の通電印加時間に変換されて出力されるマイナス高電圧直流方形波パルス２Ｂ並びにプラス高電圧直流方形波パルス２Ｃは、リード線６Ｃ及び電子放射極６Ｂよりなる電子放射部６において、対象目的に合せた高密度マイナスイオンの生成がなされる。
図４にはリード線６Ｃの断面説明図が示されてなり、その中央に導電性素材一般的には銅線材からなる通電線６０Ｃの外周囲に絶縁性素材からなる絶縁層６１Ｃが被覆形成されてなるもので、当然に該絶縁層６１Ｃは通電印加に係る電圧に耐えうる耐絶縁強度のものが使用される。
そして肝要なことは出力されるマイナス高電圧直流方形波パルス２Ｂ及びプラス高電圧直流方形波パルス２Ｃは高パルスであるから、長い距離に亘ってリード線６Ｃが用いられる場合には電磁波の拡散防止のため外表面にシールド層６２Ｃを包被させたものが望まれる。
即ち本発明マイナスイオン発生装置においては電源部１乃至電子放射部６までを一体的に適宜のケーシング内に収納させる場合では電磁波の拡散は僅少であるが、変換されて出力されるマイナス高電圧直流方形波パルス２Ｂやプラス高電圧直流方形波パルス２Ｃを隔離された位置に設置される電子放射部６に通電印加させる場合にかかる配慮が要請されることとなる。
【００２８】
電子放射部６を構成する電子放射極６Ｂは、マイナス高電圧直流方形波パルス２Ｂやプラス高電圧直流方形波パルス２Ｃが通電印加されて、電子放射をなす場合の電子放射特性として尖鋭端部より放射がなされるものであるから、具体的形状としては針状に形成され且電子放射がなされるうえから導電性はもとより耐熱性や耐腐蝕性が望まれるため、その素材としてはタングステンが好適であり他の素材としては白金やバナジウム等が挙げられる。
そして該電子放射極６Ｂには高電圧が通電印加されることから、適宜の絶縁体６Ａを介在させて固定配設がなされるもので、多用な目的への使用を考慮した場合にはセラミックス素材が望まれ、とりわけステアタイト質のセラミックス素材が好適である。
【００２９】
図５は建物区画内に電子放射部が配設された態様図であって、該図５においては一側が開口した適宜の外装体６０内の開口近傍に、電子放射極６Ｂを絶縁体６Ａにより固定支持させたうえ、該電子放射極６Ｂにリード線６Ｃよりマイナス高電圧直流方形波パルス２Ｂ及びプラス高電圧直流方形波パルス２Ｃを通電印加させて高密度マイナスイオンを生成し、該区画内に拡散滞留する揮発住有機化合物や臭気ガスを分解消去させて空気浄化を図るものである。
【００３０】
かかる場合に生成された高密度マイナスイオンといえども短時に滅失するものであるから、固定支持された電子放射極６Ｂの背面に適宜の送風ファン６Ｅを設け生成された高密度マイナスイオンを短時に区画内に拡散させることがより好適である。加えて空気浄化の如く絶縁性の高い空気中に露出させた電子放射極６Ｂにマイナス高電圧直流方形波パルス２Ｂの通電印加に伴う電子放射極６Ｂ近傍の過剰帯電を消失せしむる場合には、プラス高電圧直流方形波パルス２Ｃをマイナス高電圧直流方形波パルス２Ｂの通電印加時間に対して略１０乃至１５％割合の通電印加時間で交互に変換のうえ通電印加させてやれば良い。
【００３１】
【発明の効果】
本発明は以上述べたように一対組のスイッチングトランスを用い、その一次側には電圧が１２乃至２４Ｖの直流電圧を入力させ、更にはパルス発生部で発振させたパルス数が２０乃至１００キロパルスのパルス信号を、更に均等且安定化させるため補整と制御させたうえ該スイッチングトランスの一次側に入力させるため、一方のスイッチングトランスの二次側からはマイナス整流器を通して、その電圧が１５００乃至７５００Ｖで且パルス数が２０乃至１００キロパルスのマイナス高電圧で而も均等な方形波パルスが出力され、更に他方のスイッチングトランスの二次側からはプラス整流器を通してその電圧が１５００乃至７５００Ｖで且パルス数が２０乃至１００キロパルスのプラス高電圧で而も均等な方形波パルスが出力される。
【００３２】
そしてこのマイナス高電圧直流方形波パルスの通電印加時間に対して５乃至３０％割合の通電印加時間割合でプラス高電圧直流方形波パルスを交互に変換して電子放射極に通電印加させるために電磁変換リレーを用いるため、高電圧の使用でも長期に亘って安定且確実な変換がなしえるとともに、電子放射極近傍の過剰帯電が消去され、而も電子放射極への塵埃等の付着も著しく抑制される。
【００３３】
更に過剰帯電が消去されることから電子放射量が促進されて多量のプラズマ形成とともに、高パルスで且方形波パルスの印加に伴う尖頭作用が強く働き、水分子やガス分子等の低クラスター化と解離が著しく促進されて多量のイオン源も形成されるため高密度のマイナスイオンが生成され、有害ガスや排気ガス或いは臭気ガスに対して高い分解消去効果が発揮され、更には自動車の混合気を高い燃焼性を以って燃焼し低燃費化が実現しえる等、多くの優れた特長を具備するマイナスイオンの発生方法及び発生装置といえる。
【図面の簡単な説明】
【図１】マイナスイオンの発生装置のブロック図である。
【図２】マイナスイオンの発生装置の配線図である。
【図３】電磁変換リレーの説明図である。
【図４】リードケーブルの断面説明図である。
【図５】建物区画内に電子放射部が配設された態様図である。
【符号の説明】
１　　電源部
１Ａ　バッテリー若しくは電池
１Ｂ　ＡＣアダプター
２　　スイッチングトランス部
２Ａ　スイッチングトランス
２Ｂ　マイナス高電圧直流方形波パルス
２Ｃ　プラス高電圧直流方形波パルス
２０Ａ　一次側巻線
２０Ｂ　フェライトコア
２０Ｃ　二次側巻線
２０Ｄ　出力端子
２１Ｂ　パルス信号入力端子
２２Ａ　マイナス整流器
２２Ｂ　プラス整流器
３　　パルス発生部
３Ａ　パルス信号
３Ｂ　ＵＪＴ
４　　パルス制御回路
４Ａ　スイッチングトランジスター
４Ｂ　パルス信号整流器
４０Ａ　ベース
４０Ｂ　コレクター
４０Ｃ　エミッター
５　　電磁変換リレー
５Ａ　リレー部
５Ｂ　電磁ソレノイド
５Ｃ　ＩＣ回路
５０　変換部
５０Ａ　１回路側基点
５０Ｂ　２回路側基点
５１Ａ　１回路側接点
５２Ａ　１回路側接点
５１Ｂ　２回路側接点
５２Ｂ　２回路側接点
６　　電子放射部
６Ａ　絶縁体
６Ｂ　電子放射極
６Ｃ　リードケーブル
６０　　外装体
６０Ｃ　通電線
６１Ｃ　絶縁層
６２Ｃ　シールド層
【図１】
2004139946.tif 000003
【図２】
2004139946.tif 000004
【図３】
2004139946.tif 000005
【図４】
2004139946.tif 000006
【図５】
2004139946.tif 000007